(57)【要約】【課題】電気治療器と無線通信接続する場合に、煩雑な作業を行なうことなく、ユーザが意図する治療を受けることを可能とする端末装置を提供する。【解決手段】端末装置は、第１電気治療器により行われる第１治療内容と、第２電気治療器により行われる第２治療内容とを設定する治療内容設定部と、第１および第２電気治療器に対して、それぞれ第１および第２治療内容に従ってユーザを治療するように指示する治療指示部とを備える。治療内容設定部は、予め定められた指示に従って、第１治療内容および第２治療内容を交換する。治療指示部は、第１治療内容および第２治療内容が交換された場合、第１および第２電気治療器に対して、それぞれ交換後の第１および第２治療内容に従ってユーザを治療するように指示する。【選択図】図１５
2018202002.tif 000002
【特許請求の範囲】
【請求項１】
パッドを有する第１電気治療器および第２電気治療器と無線通信可能に構成された端末装置であって、
前記第１電気治療器により行われる第１治療内容と、前記第２電気治療器により行われる第２治療内容とを設定する治療内容設定部と、
前記第１および第２電気治療器に対して、それぞれ前記第１および第２治療内容に従ってユーザを治療するように指示する治療指示部とを備え、
前記治療内容設定部は、予め定められた指示に従って、前記第１治療内容および前記第２治療内容を交換し、
前記治療指示部は、前記第１治療内容および前記第２治療内容が交換された場合、前記第１および第２電気治療器に対して、それぞれ交換後の前記第１および第２治療内容に従ってユーザを治療するように指示する、端末装置。
【請求項２】
前記第１および第２電気治療器の各々の状態情報を取得する状態情報取得部と、
各前記状態情報に基づいて、前記第１および第２電気治療器の各々について、当該電気治療器が治療中状態であるか、当該電気治療器が前記治療中状態ではない治療待機状態であるかを判断する状態判断部と、
前記第１および第２電気治療器が前記治療待機状態である場合、前記第１および第２電気治療器の電源をＯＦＦにするように報知する報知部とをさらに備える、請求項１に記載の端末装置。
【請求項３】
前記報知部は、前記第１および第２電気治療器の少なくとも一方が前記治療中状態である場合、当該治療中状態の電気治療器に対応する治療画面を前記端末装置のディスプレイに表示させる、請求項２に記載の端末装置。
【請求項４】
前記第１および第２電気治療器の各々から、ユーザへの前記パッドの装着状態を示す装着状態情報を受信する受信部をさらに備え、
前記報知部は、前記装着状態情報に基づいて、ユーザへの前記パッドの装着状態が変化したと判断した場合、当該装着状態の変化を報知する、請求項１〜３のいずれか１項に記載の端末装置。
【請求項５】
パッドを有する第１電気治療器および第２電気治療器と、
前記第１および第２電気治療器と無線通信可能に構成された端末装置とを備え、
前記端末装置は、
前記第１電気治療器により行われる第１治療内容と、前記第２電気治療器により行われる第２治療内容とを設定する治療内容設定部と、
前記第１および第２電気治療器に対して、それぞれ前記第１および第２治療内容に従ってユーザを治療するように指示する治療指示部とを含み、
前記治療内容設定部は、予め定められた指示に従って、前記第１治療内容および前記第２治療内容を交換し、
前記治療指示部は、前記第１治療内容および前記第２治療内容が交換された場合、前記第１および第２電気治療器に対して、それぞれ交換後の前記第１および第２治療内容に従ってユーザを治療するように指示する、治療システム。
【請求項６】
パッドを有する第１電気治療器および第２電気治療器と無線通信可能に構成された端末装置のコンピュータに実行させるプログラムであって、
前記プログラムは、前記コンピュータに、
前記第１電気治療器により行われる第１治療内容と、前記第２電気治療器により行われる第２治療内容とを設定するステップと、
前記第１および第２電気治療器に対して、それぞれ前記第１および第２治療内容に従ってユーザを治療するように指示するステップと、
予め定められた指示に従って、前記第１治療内容および前記第２治療内容を交換するステップとを実行させ、
前記指示するステップは、前記第１治療内容および前記第２治療内容が交換された場合、前記第１および第２電気治療器に対して、それぞれ交換後の前記第１および第２治療内容に従ってユーザを治療するように指示することを含む、プログラム。
【請求項７】
パッドを有する第１電気治療器と無線通信可能に構成された端末装置であって、
前記第１電気治療器は、パッドを有する第２電気治療器と無線通信可能に構成されており、
前記端末装置は、
前記第１電気治療器により行われる第１治療内容と、前記第２電気治療器により行われる第２治療内容とを設定する治療内容設定部と、
前記第１電気治療器に対して、前記第１治療内容に従ってユーザを治療するように指示するとともに、前記第２電気治療器が前記第２治療内容に従ってユーザを治療するように、前記第１電気治療器に前記第２電気治療器を制御させる治療指示部とを備え、
前記治療内容設定部は、予め定められた指示に従って、前記第１治療内容および前記第２治療内容を交換し、
前記治療指示部は、前記第１治療内容および前記第２治療内容が交換された場合、前記第１電気治療器に対して、交換後の前記第１治療内容に従ってユーザを治療するように指示し、前記第２電気治療器が交換後の前記第２治療内容に従ってユーザを治療するように、前記第１電気治療器に前記第２電気治療器を制御させる、端末装置。
【請求項８】
パッドを有する第１電気治療器および第２電気治療器と、
前記第１電気治療器と無線通信可能に構成された端末装置とを備え、
前記第１電気治療器は、前記第２電気治療器と無線通信可能に構成されており、
前記端末装置は、
前記第１電気治療器により行われる第１治療内容と、前記第２電気治療器により行われる第２治療内容とを設定する治療内容設定部と、
前記第１電気治療器に対して、前記第１治療内容に従ってユーザを治療するように指示するとともに、前記第２電気治療器が前記第２治療内容に従ってユーザを治療するように、前記第１電気治療器に前記第２電気治療器を制御させる治療指示部とを備え、
前記治療内容設定部は、予め定められた指示に従って、前記第１治療内容および前記第２治療内容を交換し、
前記治療指示部は、前記第１治療内容および前記第２治療内容が交換された場合、前記第１電気治療器に対して、交換後の前記第１治療内容に従ってユーザを治療するように指示し、前記第２電気治療器が交換後の前記第２治療内容に従ってユーザを治療するように、前記第１電気治療器に前記第２電気治療器を制御させる、治療システム。
【請求項９】
パッドを有する第１電気治療器と無線通信可能に構成された端末装置のコンピュータに実行させるプログラムであって、
前記第１電気治療器は、パッドを有する第２電気治療器と無線通信可能に構成されており、
前記プログラムは、前記コンピュータに、
前記第１電気治療器により行われる第１治療内容と、前記第２電気治療器により行われる第２治療内容とを設定するステップと、
前記第１電気治療器に対して、前記第１治療内容に従ってユーザを治療するように指示するステップと、
前記第２電気治療器が前記第２治療内容に従ってユーザを治療するように、前記第１電気治療器に前記第２電気治療器を制御させるステップと、
予め定められた指示に従って、前記第１治療内容および前記第２治療内容を交換するステップとを実行させ、
前記指示するステップは、前記第１治療内容および前記第２治療内容が交換された場合、前記第１電気治療器に対して、交換後の前記第１治療内容に従ってユーザを治療するように指示することを含み、
前記制御させるステップは、前記第１治療内容および前記第２治療内容が交換された場合、前記第２電気治療器が交換後の前記第２治療内容に従ってユーザを治療するように、前記第１電気治療器に前記第２電気治療器を制御させることを含む、プログラム。
【発明の詳細な説明】
【技術分野】
【０００１】
本開示は、電気治療器と無線通信可能に構成された端末装置、治療システムおよびプログラムに関する。
【背景技術】
【０００２】
従来、腹部や背中などの身体の表面に複数のパッドを貼り付け、パッドを介して身体内部の筋肉に対して低周波パルスを出力し、電気的に刺激を与えるようにした電気治療器が知られている。近年では、このような電気治療器と無線通信を行なう装置において各種処理が行われている。
【０００３】
例えば、特表２０１６−５０６０９７号公報（特許文献１）は、電気刺激用の無線ペアリングおよび通信のためのシステムを開示している。このシステムは、ペアリングデバイスを部分的に使用して、２つ以上のデバイスをネットワーク構成にペアリングすることを含む。また、このシステムは、１つ以上の電気刺激コンタクトを電気刺激療法のために部分的に使用し、同じ１つ以上の電気刺激コンタクトを２つ以上のデバイス同士でデータを伝送するために部分的に使用して、２つ以上のデバイス同士でデータを伝送することを含む。
【０００４】
また、特開２００５−２３７９４１号公報（特許文献２）は、コントロール装置と、トリートメント用電極とからなるコードレスのパルス健康器であるトリートメント装置を開示している。トリートメント用電極は、皮膚面に接触させて用いる導電パッドと、電源からの電力の供給を受けて導電パッドにパルス電流を供給するパルス電流供給部と、コントロール装置から送信されたコントロール信号を無線で受信する受信ユニット及びアンテナと、コントロール信号に基づいて、パルス電流供給部の動作を制御するメモリ及びＣＰＵとを備えている。
【先行技術文献】
【特許文献】
【０００５】
【特許文献１】特表２０１６−５０６０９７号公報
【特許文献２】特開２００５−２３７９４１号公報
【発明の概要】
【発明が解決しようとする課題】
【０００６】
ここで、複数の電気治療器（導電パッド）を用いて身体の複数の部位の治療を行なう場面を想定する。このとき、各電気治療器と、その制御装置とが有線接続されている場合には、線を辿っていく等により、どの部位にどの電気治療器が装着されているのかを容易に把握できる。そのため、例えば、ユーザとしては腕に装着されていると認識していた電気治療器が、実際には腰に装着されているという事態は発生し難い。
【０００７】
しかしながら、各電気治療器とその制御装置とを無線接続する場合には、線で辿っていくこと等ができないため、上記事態が発生しやすい。つまり、腕に装着された電気治療器に実行させるために設定した腕用の治療内容を、腰に装着された電気治療器に誤って実行させてしまう可能性が有線接続の場合よりも高くなる。したがって、ユーザは、適切な治療を受けるためには各電気治療器を装着し直すという煩雑な作業を行なう必要がある。
【０００８】
特許文献１は、デバイス（例えば、電気刺激デバイス）と、ペアリングデバイスとを無線通信接続する構成を開示している。また、特許文献２では、コントロール装置と、リートメント用電極とを無線通信接続する構成を開示している。しかしながら、特許文献１および２では、上記課題に関する技術については何ら教示ないし示唆していない。
【０００９】
本開示は、上記に鑑みてなされたものであって、ある局面における目的は、電気治療器と無線通信接続する場合に、煩雑な作業を行なうことなく、ユーザが意図する治療を受けることを可能とする端末装置、治療システムおよびプログラムを提供することである。
【課題を解決するための手段】
【００１０】
ある実施の形態に従うと、パッドを有する第１電気治療器および第２電気治療器と無線通信可能に構成された端末装置が提供される。端末装置は、第１電気治療器により行われる第１治療内容と、第２電気治療器により行われる第２治療内容とを設定する治療内容設定部と、第１および第２電気治療器に対して、それぞれ第１および第２治療内容に従ってユーザを治療するように指示する治療指示部とを備える。治療内容設定部は、予め定められた指示に従って、第１治療内容および第２治療内容を交換する。治療指示部は、第１治療内容および第２治療内容が交換された場合、第１および第２電気治療器に対して、それぞれ交換後の第１および第２治療内容に従ってユーザを治療するように指示する。
【００１１】
好ましくは、端末装置は、第１および第２電気治療器の各々の状態情報を取得する状態情報取得部と、各状態情報に基づいて、第１および第２電気治療器の各々について、当該電気治療器が治療中状態であるか、当該電気治療器が治療中状態ではない治療待機状態であるかを判断する状態判断部と、第１および第２電気治療器が治療待機状態である場合、第１および第２電気治療器の電源をＯＦＦにするように報知する報知部とをさらに備える。
【００１２】
好ましくは、報知部は、第１および第２電気治療器の少なくとも一方が治療中状態である場合、当該治療中状態の電気治療器に対応する治療画面を端末装置のディスプレイに表示させる。
【００１３】
好ましくは、端末装置第１および第２電気治療器の各々から、ユーザへのパッドの装着状態を示す装着状態情報を受信する受信部をさらに備える。報知部は、装着状態情報に基づいて、ユーザへのパッドの装着状態が変化したと判断した場合、当該装着状態の変化を報知する。
【００１４】
他の実施の形態に従う治療システムは、パッドを有する第１電気治療器および第２電気治療器と、第１および第２電気治療器と無線通信可能に構成された端末装置とを備える。端末装置は、第１電気治療器により行われる第１治療内容と、第２電気治療器により行われる第２治療内容とを設定する治療内容設定部と、第１および第２電気治療器に対して、それぞれ第１および第２治療内容に従ってユーザを治療するように指示する治療指示部とを含む。治療内容設定部は、予め定められた指示に従って、第１治療内容および第２治療内容を交換する。治療指示部は、第１治療内容および第２治療内容が交換された場合、第１および第２電気治療器に対して、それぞれ交換後の第１および第２治療内容に従ってユーザを治療するように指示する。
【００１５】
さらに他の実施の形態に従うと、パッドを有する第１電気治療器および第２電気治療器と無線通信可能に構成された端末装置のコンピュータに実行させるプログラムが提供される。プログラムは、コンピュータに、第１電気治療器により行われる第１治療内容と、第２電気治療器により行われる第２治療内容とを設定するステップと、
第１および第２電気治療器に対して、それぞれ第１および第２治療内容に従ってユーザを治療するように指示するステップと、予め定められた指示に従って、第１治療内容および第２治療内容を交換するステップとを実行させる。指示するステップは、第１治療内容および第２治療内容が交換された場合、第１および第２電気治療器に対して、それぞれ交換後の第１および第２治療内容に従ってユーザを治療するように指示することを含む。
【００１６】
さらに他の実施の形態に従うと、パッドを有する第１電気治療器と無線通信可能に構成された端末装置が提供される。第１電気治療器は、パッドを有する第２電気治療器と無線通信可能に構成されている。端末装置は、第１電気治療器により行われる第１治療内容と、第２電気治療器により行われる第２治療内容とを設定する治療内容設定部と、第１電気治療器に対して、第１治療内容に従ってユーザを治療するように指示するとともに、第２電気治療器が第２治療内容に従ってユーザを治療するように、第１電気治療器に第２電気治療器を制御させる治療指示部とを備える。治療内容設定部は、予め定められた指示に従って、第１治療内容および第２治療内容を交換する。治療指示部は、第１治療内容および第２治療内容が交換された場合、第１電気治療器に対して、交換後の第１治療内容に従ってユーザを治療するように指示し、第２電気治療器が交換後の第２治療内容に従ってユーザを治療するように、第１電気治療器に第２電気治療器を制御させる。
【００１７】
さらに他の実施の形態に従う治療システムは、パッドを有する第１電気治療器および第２電気治療器と、第１電気治療器と無線通信可能に構成された端末装置とを備える。第１電気治療器は、第２電気治療器と無線通信可能に構成されている。端末装置は、第１電気治療器により行われる第１治療内容と、第２電気治療器により行われる第２治療内容とを設定する治療内容設定部と、第１電気治療器に対して、第１治療内容に従ってユーザを治療するように指示するとともに、第２電気治療器が第２治療内容に従ってユーザを治療するように、第１電気治療器に第２電気治療器を制御させる治療指示部とを備える。治療内容設定部は、予め定められた指示に従って、第１治療内容および第２治療内容を交換する。治療指示部は、第１治療内容および第２治療内容が交換された場合、第１電気治療器に対して、交換後の第１治療内容に従ってユーザを治療するように指示し、第２電気治療器が交換後の第２治療内容に従ってユーザを治療するように、第１電気治療器に第２電気治療器を制御させる。
【００１８】
さらに他の実施の形態に従うと、パッドを有する第１電気治療器と無線通信可能に構成された端末装置のコンピュータに実行させるプログラムが提供される。第１電気治療器は、パッドを有する第２電気治療器と無線通信可能に構成されている。プログラムは、コンピュータに、第１電気治療器により行われる第１治療内容と、第２電気治療器により行われる第２治療内容とを設定するステップと、第１電気治療器に対して、第１治療内容に従ってユーザを治療するように指示するステップと、第２電気治療器が第２治療内容に従ってユーザを治療するように、第１電気治療器に第２電気治療器を制御させるステップと、予め定められた指示に従って、第１治療内容および第２治療内容を交換するステップとを実行させる。指示するステップは、第１治療内容および第２治療内容が交換された場合、第１電気治療器に対して、交換後の第１治療内容に従ってユーザを治療するように指示することを含む。制御させるステップは、第１治療内容および第２治療内容が交換された場合、第２電気治療器が交換後の第２治療内容に従ってユーザを治療するように、第１電気治療器に第２電気治療器を制御させることを含む。
【発明の効果】
【００１９】
本開示によると、電気治療器と無線通信接続する場合に、煩雑な作業を行なうことなく、ユーザが意図する治療を受けることが可能となる。
【図面の簡単な説明】
【００２０】
【図１】治療システムの概略的な構成を示す図である。
【図２】電気治療器の構成を示す斜視図である。
【図３】電気治療器に備えられる本体部をホルダおよびパッドから分離した状態を示す斜視図である。
【図４】端末装置のハードウェア構成の一例を表わすブロック図である。
【図５】端末装置および電気治療器の接続フローを説明するための画面遷移図である。
【図６】端末装置および電気治療器の接続フローを説明するための画面遷移図である。
【図７】端末装置による治療内容の設定フローを説明するための画面遷移図である。
【図８】端末装置による治療内容の設定フローを説明するための画面遷移図である。
【図９】端末装置による治療中の動作フローを説明するための画面遷移図である。
【図１０】端末装置および電気治療器の自動接続フローを説明するための画面遷移図である。
【図１１】端末装置および電気治療器の自動接続フローを説明するための画面遷移図である。
【図１２】エラー報知の一例を示す図である。
【図１３】エラー報知の他の例を示す図である。
【図１４】エラー報知のさらに他の例を示す図である。
【図１５】端末装置の機能構成の一例を示すブロック図である。
【図１６】端末装置による機器登録の処理手順の一例を示すフローチャートである。
【図１７】端末装置による機器登録の処理手順の他の例を示すフローチャートである。
【図１８】端末装置による通常接続の処理手順の一例を示すフローチャートである。
【発明を実施するための形態】
【００２１】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２２】
＜システム構成＞
図１は、治療システム１の概略的な構成を示す図である。図１を参照して、治療システム１は、ユーザ端末である端末装置１０と、電気治療器２０Ａ，２０Ｂと、ネットワーク３０とを含む。以下では、電気治療器２０Ａ，２０Ｂの各々に共通の構成や機能を説明する際には、それらを「電気治療器２０」と総称する。
【００２３】
電気治療器２０は、コードレスタイプであり、使用時に一体とされるパッド、ホルダ、本体部を有し、これら各部を組み合わせて治療を行なう。本実施の形態に従う電気治療器２０は、低周波パルス電流を供給することで、ユーザの肩凝りをほぐす等の治療を行う低周波治療器であるとする。例えば、低周波パルス電流の周波数は、１Ｈｚ〜１２００Ｈｚである。ただし、電気治療器２０は、これ以外の周波数帯のパルス電流を用いる構成であってもよい。図１では、電気治療器２０の本体部のみを図示しており、パッドおよびホルダは図示を省略している。電気治療器２０の具体的な構成については後述する。
【００２４】
端末装置１０は、例えば、タッチパネルを備えるスマートフォンである。以下では、スマートフォンを「端末装置」の代表例として説明を行なう。ただし、端末装置は、折り畳み式携帯電話、タブレット端末装置、ＰＣ（personal computer）、ＰＤＡ（Personal  Data  Assistance）などのような他の端末装置であってもよい。
【００２５】
端末装置１０と電気治療器２０とを接続するためのネットワーク３０は、近距離無線通信方式を採用しており、典型的には、ＢＬＥ（Bluetooth（登録商標） low energy）が採用される。そのため、端末装置１０および電気治療器２０は、ＢＬＥを用いて無線通信を行なう機能を有するＢＬＥデバイスである。ただし、ネットワーク３０は、これに限られず、Ｂｌｕｅｔｏｏｔｈ（登録商標）、無線ＬＡＮ（local area network）等のその他の無線通信方式を採用してもよい。
【００２６】
本実施の形態に従う治療システム１では、端末装置１０は、インストールされているアプリケーションを利用して、ペアリング接続された電気治療器２０Ａ，２０Ｂに各種指示を行なう。また、端末装置１０は、各種情報をディスプレイに表示して、必要な情報をユーザに報知する。具体的な動作の詳細については後述する。
【００２７】
＜電気治療器２０の構成＞
図２は、電気治療器２０の構成を示す斜視図である。図３は、電気治療器２０に備えられる本体部４をホルダ３およびパッド２から分離した状態を示す斜視図である。
【００２８】
図２および図３を参照して、電気治療器２０は、いわゆるコードレスタイプの低周波治療器であり、パッド２、ホルダ３、本体部４を備える。
【００２９】
パッド２は、シート状の形状を有し、ユーザの身体に取り付けられる。パッド２の外表面のうち、身体に対向する身体側部２１の表面（下面）には、導電層２ａが設けられる。パッド２は、導電性のゲル等を使用してユーザの皮膚上に貼り付けられ、導電層２ａを通してユーザに低周波パルス電流が供給される。
【００３０】
図３を参照して、パッド２は、取付部２Ｘおよび治療部２Ｙを有する。取付部２Ｘは、ホルダ３によって保持される。取付部２Ｘには、窓部２３および貫通孔２Ｈが設けられている。窓部２３の内側には、ホルダ３の位置決め突起３１２が配置される。貫通孔２Ｈには、ホルダ３のインターロックピン３３が挿通される。治療部２Ｙは、取付部２Ｘの左右両外側に設けられ、治療部２Ｙの身体側部２１には導電層２ａが露出している。
【００３１】
導電層２ａは、取付部２Ｘにおける本体部４に対向する表面にも露出しており、この露出部分がパッド側電極部２２を構成する。パッド側電極部２２は、本体部側電極部４３との電気的接続のために形成されており、取付部２Ｘの一端に、一方の電極部（たとえば＋極）に対応した導電層２ａが露出しており、取付部２Ｘの他端に、他方の電極部（たとえば−極）に対応した導電層２ａが露出している。
【００３２】
図３を参照して、ホルダ３は、板状の形状を有するパッド保持部３１と、パッド保持部３１の両端から起立する一対の壁部３２とを備える。パッド保持部３１の上面３１１に、パッド２の取付部２Ｘが配置される。上面３１１と取付部２Ｘとの間には、必要に応じて、両面粘着テープ、のり、接着剤などが配置される。
【００３３】
パッド保持部３１には、位置決め突起３１２が設けられている。パッド２に設けられた窓部２３の内周縁を位置決め突起３１２に合わせることで、ホルダ３に対してパッド２が位置決めされる。パッド保持部３１の中央には、インターロックピン３３も設けられる。パッド２をホルダ３に取り付ける際、インターロックピン３３は貫通孔２Ｈの中に挿通される。
【００３４】
パッド２は消耗品であるので、交換の際には、パッド２は本体部４に対して着脱可能とされている。本実施の形態では、ホルダ３がパッド２を保持することで両者が一体となっており、パッド２およびホルダ３に対して本体部４を着脱するよう構成されている。パッド２はホルダ３ごと交換されるが、必要に応じてホルダ３を再利用することも不可能ではない。
【００３５】
図２および図３を参照して、本体部４は、略直方体の形状を有するケース４ａを外装体として含んでいる。ケース４ａとホルダ３との間には、誘導係合部５（図２）が形成されており、本体部４（ケース４ａ）は、ホルダ３に着脱可能に取り付けられる。誘導係合部５は、ケース４ａの側面４１に形成された突起５１（図３）と、ホルダ３の壁部３２に形成された溝部５２（図３）とから構成される。
【００３６】
図３を参照して、溝部５２は、縦溝部５２１と横溝部５２２とを含む。縦溝部５２１は、縦方向に形成され、上方が開口している。横溝部５２２は、横方向に形成され、両端が開口している。突起５１および溝部５２は、本体部４をホルダ３に取り付ける際には、両者が正対する方向に両者が接近移動して係合に至る。ホルダ３に対して本体部４を回転移動させることで両者の係合が解除され、本体部４をホルダ３から取り外すことができる。
【００３７】
本体部４は、ホルダ３に取り付けられた状態で、パッド２の導電層２ａに低周波パルス電流を供給する。具体的には、本体部４は、一対の本体部側電極部４３、基板（図示しない）、電気回路（図示しない）、および、インターロック機構（図示しない）を備える。電気回路は、各種の制御機器を含み、基板の表面上に実装されている。
【００３８】
制御機器は、各種処理を実行するためのプロセッサ、プログラムやデータなどを格納するためのメモリ、端末装置１０と各種データを無線通信するための通信インターフェイス、電源電圧の昇圧、低周波パルス電流（治療電流）の生成および出力等を行なうための波形生成出力回路等を含む。
【００３９】
基板、電気回路、インターロック機構は、本体部４（ケース４ａ）内部に設けられる。本体部４（ケース４ａ）内部には、電池等の電源（図示しない）も設けられる。ケース４ａの外部には、スイッチ４８Ｓ（図２）、ＬＥＤ（light emitting diode）等の表示部（図示しない）、およびボタン（図示しない）等が設けられる。
【００４０】
本体部４がホルダ３に取り付けられた状態では、本体部側電極部４３の先端部がパッド側電極部２２に当接する。これにより、本体部側電極部４３とパッド側電極部２２とが導通し、電気回路はパッド側電極部２２に低周波パルス電流を供給可能となる。
【００４１】
＜端末装置１０の構成＞
図４は、端末装置１０のハードウェア構成の一例を表わすブロック図である。図４を参照して、端末装置１０は、主たる構成要素として、プロセッサ１５２と、メモリ１５４と、入力装置１５６と、ディスプレイ１５８と、無線通信部１６０と、メモリインターフェイス（Ｉ／Ｆ）１６４と、通信インターフェイス（Ｉ／Ｆ）１６６と、スピーカ１６８と、マイク１７０とを含む。
【００４２】
プロセッサ１５２は、典型的には、ＣＰＵ（Central Processing Unit）やＭＰＵ（Multi Processing Unit）といった演算処理部である。プロセッサ１５２は、メモリ１５４に記憶されたプログラムを読み出して実行することで、端末装置１０の各部の動作を制御する制御部として機能する。プロセッサ１５２は、当該プログラムを実行することによって、後述する端末装置１０の処理（ステップ）の各々を実現する。
【００４３】
メモリ１５４は、ＲＡＭ（Random  Access  Memory）、ＲＯＭ（Read-Only  Memory）、フラッシュメモリなどによって実現される。メモリ１５４は、プロセッサ１５２によって実行されるプログラム、またはプロセッサ１５２によって用いられるデータなどを記憶する。
【００４４】
入力装置１５６は、端末装置１０に対する操作入力を受け付ける。典型的には、入力装置１５６は、タッチパネルによって実現される。タッチパネルは、表示部としての機能を有するディスプレイ１５８上に設けられており、例えば、静電容量方式タイプである。タッチパネルは、所定時間毎に外部物体によるタッチパネルへのタッチ操作を検知し、タッチ座標をプロセッサ１５２に入力する。ただし、入力装置１５６は、ボタンなどを含んでいてもよい。
【００４５】
無線通信部１６０は、通信アンテナ１６２を介して移動体通信網に接続し無線通信のための信号を送受信する。これにより、端末装置１０は、たとえば、ＬＴＥ（Long  Term  Evolution）などの移動体通信網を介して他の通信装置との通信が可能となる。
【００４６】
メモリインターフェイス１６４は、外部の記憶媒体１６５からデータを読み出す。プロセッサ１５２は、メモリインターフェイス１６４を介して記憶媒体１６５に格納されているデータを読み出して、当該データをメモリ１５４に格納する。プロセッサ１５２は、メモリ１５４からデータを読み出して、メモリインターフェイス１６４を介して当該データを外部の記憶媒体１６５に格納する。
【００４７】
記憶媒体１６５は、ＣＤ（Compact  Disc）、ＤＶＤ（Digital  Versatile  Disk）、ＢＤ（Blu-ray（登録商標）  Disc）、ＵＳＢ（Universal  Serial  Bus）メモリ、ＳＤ（Secure  Digital）メモリカードなどの不揮発的にプログラムを格納する媒体を含む。
【００４８】
通信インターフェイス（Ｉ／Ｆ）１６６は、端末装置１０と電気治療器２０との間で各種データをやり取りするための通信インターフェイスであり、アダプタやコネクタなどによって実現される。通信方式としては、例えば、ＢＬＥ（Bluetooth（登録商標） low energy）、無線ＬＡＮなどによる無線通信方式が採用される。
【００４９】
スピーカ１６８は、プロセッサ１５２から与えられる音声信号を音声に変換して端末装置１０の外部へ出力する。マイク１７０は、端末装置１０に対する音声入力を受け付けて、当該音声入力に対応する音声信号をプロセッサ１５２に与える。
【００５０】
＜システムの動作概要＞
図５〜図１４を参照して、治療システム１の動作概要について説明する。なお、図５〜図１４に示す各画面は、端末装置１０にインストールされた電気治療用のアプリケーション（以下、単に「治療アプリ」とも称する。）が起動されることによりディスプレイ１５８に表示される画面である。
【００５１】
（機器接続）
まず、端末装置１０が電気治療器２０Ａ，２０Ｂと接続されるときの流れについて説明する。図５および図６は、端末装置１０および電気治療器２０の接続フローを説明するための画面遷移図である。
【００５２】
図５を参照して、端末装置１０と１台目の電気治療器２０（例えば、電気治療器２０Ａ）との接続が完了するまでの流れについて説明する。端末装置１０は、入力装置１５６を介して、治療アプリの起動指示を受け付けると、スプラッシュ画面の後に、画面１００２を表示する。なお、端末装置１０は、スプラッシュ画面の後に、治療アプリの内容を概略的に説明するためのガイダンス画面を表示してもよい。画面１００２は、端末装置１０のペアリング対象である電気治療器２０の電源をＯＮにするように促す画面であり、例えば、「電源ボタンを押して下さい」といった文言、および、指が電気治療器２０の電源を押下するようなアニメーションが表示される。
【００５３】
また、ＢＬＥ方式に従って無線通信を行なう端末装置１０は、治療アプリ起動後、発信側の端末である電気治療器２０から発信されるアドバタイズメント・パケット（以下、単に「アドバタイズ」とも称する。）と呼ばれるビーコン信号を受信（検出）するために、スキャン動作を開始する。スキャン動作は、予め定められた条件を満たす機器ＩＤを含むアドバタイズを検出する動作であり、所定時間（例えば、１８０秒）だけ実行される。
【００５４】
アドバタイズは、周囲の装置に自己の存在、および、周囲の装置からの接続を待っていることを通知するために用いられ、自己を一意に特定する機器ＩＤ、自己が提供するサービスの種類、自己の動作モード、通信に用いるプロトコルのバージョン等の情報を含む。
【００５５】
機器ＩＤは、種別情報（例えば、機器種別が「電気治療器」であることを示す情報）、分類情報（例えば、機器の販売エリア、機器の型式を示す情報）、および固有情報（例えば、機器に対して一意に割り当てられたコード）等により構成される。本実施の形態では、端末装置１０は、スキャン動作により、「電気治療器」を示す種別情報を有する機器ＩＤを含むアドバタイズを検出する。
【００５６】
次に、画面１００２に従ってユーザにより電気治療器２０の電源が押下されると、端末装置１０は、画面１００４を表示して、電気治療器２０との接続処理を開始する。具体的には、端末装置１０は、スキャン動作により、ペアリングを要求するための動作モード「ペアリング要求モード」と、機器種別「電気治療器」とを含むアドバタイズを検出した場合、当該アドバタイズを発信する電気治療器２０がペアリング済ではない（ペアリング情報を登録していない）と判断する。ペアリング情報は、端末装置１０および電気治療器２０との無線通信接続を確立するために必要な情報であり、例えば、ペアリング対象の機器ＩＤ、ＭＡＣアドレス、サービス情報等を含む。この場合、端末装置１０は、ペアリング要求の確認を促す画面１００６を表示する。
【００５７】
画面１００６は、ペアリング要求をキャンセルするためのキャンセルボタン１０１２と、ペアリング要求を受け入れるペアリングボタン１０１４とを含む。画面１００６において、端末装置１０は、キャンセルボタン１０１２の選択を受け付けた場合、画面１００２を表示する。端末装置１０は、ペアリングボタン１０１４の選択を受け付けた場合、画面１００８を表示する。
【００５８】
一方、画面１００４において、端末装置１０は、スキャン動作により、無線通信接続を要求するための動作モード「接続要求モード」と、機器種別「電気治療器」とを含むアドバタイズを検出し、かつ当該アドバタイズに含まれるペアリング情報が端末装置１０に登録されている場合、当該アドバタイズを発信する電気治療器２０がペアリング済であると判断し、画面１００８を表示する。
【００５９】
画面１００８は、端末装置１０と１台の電気治療器２０（例えば、電気治療器２０Ａ）とのペアリングが完了して、無線接続が確立されたことを示す画面である。端末装置１０は、電気治療器２０Ａと初めてペアリング接続した場合、電気治療器２０Ａの機器ＩＤ等のペアリング情報をメモリ１５４に格納する。また、電気治療器２０Ａは、端末装置１０の機器ＩＤ等を当該端末装置１０から受信して、これをペアリング情報として内部メモリに格納する。
【００６０】
なお、電気治療器２０Ａがペアリング情報を内部メモリに格納していない場合、ユーザが、電気治療器２０Ａの電源ボタンを単押し操作（短時間（例えば、１秒未満）だけ押す操作）するだけで、電気治療器２０Ａは自動的に「ペアリング要求モード」を含むアドバタイズを発信する。そのため、ユーザは、電源ボタンを長押し操作（例えば、１秒以上押す操作）する必要がなく、電気治療器２０Ａと端末装置１０とのペアリングを容易に行なうことができる。
【００６１】
画面１００８は、もう１台の電気治療器２０（例えば、電気治療器２０Ｂ）ともペアリングを実行するためのペアリングボタン１０１６と、当該ペアリングを実行しないスキップボタン１０１８とを含む。端末装置１０は、ペアリングボタン１０１６の選択を受け付けた場合には画面１１０２（図６参照）を表示し、スキップボタン１０１８の選択を受け付けた場合には電気治療器２０に実行させる治療内容の設定に関する画面１２０２（後述の図７参照）を表示する。ユーザは、端末装置１０および電気治療器２０Ａの接続のみを希望する場合、あるいは端末装置１０および電気治療器２０Ｂの接続を後回しにしたい場合には、スキップボタン１０１８を選択することにより、端末装置１０および電気治療器２０Ｂの接続フローをスキップすることができる。
【００６２】
ここで、本実施の形態に従う電気治療器２０は、１つのＢＬＥデバイスのペアリング情報のみをメモリに格納可能に構成されている。電気治療器２０は、いずれかのＢＬＥデバイスのペアリング情報をメモリに格納している場合には接続要求モードとして動作し、無線通信接続の確立のために自己の認証を要求するためのアドバタイズを発信する。一方、電気治療器２０は、いずれのＢＬＥデバイスのペアリング情報をメモリに格納していない場合にはペアリング要求モードとして動作し、ペアリングを要求するためのアドバタイズを発信する。換言すると、電気治療器２０は、ペアリング情報を格納している場合にはペアリング要求モードとして動作しない。
【００６３】
そのため、端末装置１０は、ペアリング要求モードを含むアドバタイズを検出した場合、当該アドバタイズを発信する電気治療器２０がペアリング済ではないと判断し、接続要求モードを含むアドバタイズを検出した場合、当該アドバタイズを発信する電気治療器２０が何らかのＢＬＥデバイスとペアリング済であると判断することができる。
【００６４】
次に、図６を参照して、端末装置１０と２台目の電気治療器２０（ここでは、電気治療器２０Ｂ）との接続が完了するまでの流れについて説明する。端末装置１０は、画面１００８（図５参照）において、ペアリングボタン１０１６の選択を受け付けると画面１１０２を表示する。画面１１０２は、端末装置１０のペアリング対象である２台目の電気治療器２０Ｂの電源をＯＮにするように促す画面である。なお、端末装置１０は、スキップボタン１１１１の選択を受け付けると、画面１２０２（後述の図７参照）を表示する。
【００６５】
次に、画面１１０２に従ってユーザにより電気治療器２０Ｂの電源が押下されると、端末装置１０は、画面１１０４を表示して、電気治療器２０Ｂとの接続処理を開始する。端末装置１０は、スキャン動作により、電気治療器２０Ｂがペアリング済ではないと判断した場合、ペアリング要求の確認を促す画面１１０６を表示する。
【００６６】
画面１１０６は、ペアリング要求のキャンセルボタン１１１２と、ペアリング要求を受け入れるペアリングボタン１１１４とを含む。画面１１０６において、端末装置１０は、キャンセルボタン１１１２の選択を受け付けた場合、画面１１０２を表示する。端末装置１０は、ペアリングボタン１１１４の選択を受け付けた場合、画面１１０８を表示する。
【００６７】
一方、画面１１０４において、端末装置１０は、スキャン動作により、自装置と電気治療器２０Ｂとがペアリング済であると判断した場合、画面１１０８を表示する。
【００６８】
画面１１０８は、端末装置１０と電気治療器２０Ａ，２０Ｂとのペアリングが完了して、各機器との無線接続が確立されたことを示す画面である。端末装置１０は、ＯＫボタン１１１６の選択を受け付けた場合、画面１２０２（後述の図７参照）を表示する。
【００６９】
（治療内容の設定）
次に、端末装置１０が電気治療器２０に実行させる治療内容を設定するときの流れについて説明する。図７および図８は、端末装置１０による治療内容の設定フローを説明するための画面遷移図である。
【００７０】
図７を参照して、端末装置１０は、画面１００８（図５参照）におけるスキップボタン１０１８の選択、画面１１０２（図６参照）におけるスキップボタン１１１１の選択、または、画面１１０８（図６参照）におけるＯＫボタン１１１６の選択を受け付けた場合、画面１２０２を表示する。
【００７１】
画面１２０２は、電気治療器２０Ａに実行させる治療内容Ｔａ、および電気治療器２０Ｂに実行させる治療内容Ｔｂのうちのどちらを設定するのかを選択させる画面である。端末装置１０は、最初に接続確立された１台目の電気治療器２０Ａを、治療アプリ画面上での機器Ａと関連付け、次に接続確立された２台目の電気治療器２０Ｂを治療アプリ画面上での機器Ｂと関連付けている。治療アプリは、機器Ａを電気治療器２０Ａとして認識し、機器Ｂを電気治療器２０Ｂとして認識している状態である。画面１２０２において、機器Ａは機器オブジェクト１２１６に対応しており、機器Ｂは機器オブジェクト１２１８に対応している。
【００７２】
ここで、ユーザは、１台目に接続した電気治療器が治療アプリ画面上の機器Ａに関連付けられ、２台目に接続した電気治療器が治療アプリ画面上の機器Ｂに関連付けられることを知っているものとする。なお、治療アプリ画面上にて、「機器Ａ」および「機器Ｂ」を、それぞれ「１台目の機器」および「２台目の機器」等と表示する構成であってもよい。
【００７３】
端末装置１０は、ユーザから機器オブジェクト１２１６の選択（タップ）を受け付けると、当該選択をユーザに報知するために機器オブジェクト１２１６を強調表示（例えば、機器オブジェクト１２１６を点滅させる等）する。さらに、機器Ａ（機器オブジェクト１２１６）が、電気治療器２０Ａと関連付けられていることをユーザに報知するために、端末装置１０は、電気治療器２０Ａに対してＬＥＤを点滅させるための制御信号を送信する。電気治療器２０Ａは、受信した制御信号に従ってＬＥＤを点滅する。
【００７４】
これにより、ユーザは、自身が治療アプリ上で選択した機器Ａ（機器オブジェクト１２１６）が、実機である電気治療器２０Ａと対応していることを把握することができる。そして、端末装置１０は、機器オブジェクト１２１６を選択した状態でボタン１２１２の選択を受け付けた場合には、治療内容Ｔａの設定フローを開始する。
【００７５】
一方、端末装置１０は、ユーザから機器オブジェクト１２１８の選択を受け付けた場合には、上記と同様の動作により、機器オブジェクト１２１８を強調表示するとともに、電気治療器２０ＢのＬＥＤを点滅させる。続いて、端末装置１０は、ボタン１２１２の選択を受け付けると、治療内容Ｔｂの設定フローを開始する。
【００７６】
ただし、画面１００８（図５参照）または画面１１０２から画面１２０２に遷移した場合には、端末装置１０と電気治療器２０Ｂとの接続は確立していない。そのため、端末装置１０は、機器オブジェクト１２１８の選択を無効化して当該選択を受け付けない。
【００７７】
以下の説明では、ユーザは、治療アプリ画面上の機器Ａに対応する機器オブジェクト１２１６を選択した後、ボタン１２１２を選択したものとする。この場合、端末装置１０は、電気治療器２０Ａに対応する治療内容Ｔａの設定フローを開始するための画面１２０４を表示する。
【００７８】
画面１２０４は、治療を希望する身体の部位（例えば、肩、腕、腰、膝、脹脛等）を選択させる画面である。具体的には、画面１２０４は、治療アプリ画面上の機器Ａに対応するタブ１２２０と、治療アプリ画面上の機器Ｂに対応するタブ１２２２と、人体オブジェクト１２２４と、コースおよびモードの設定画面に遷移するためのボタン１２２６とを含む。
【００７９】
画面１２０４では、治療内容Ｔａの設定中であるため、機器Ａに対応するタブ１２２０が強調表示されている。なお、一方の治療内容（ここでは、治療内容Ｔａ）の設定中は、機器Ｂに対応するタブ１２２２の選択は無効化されており、他方の治療内容（ここでは、治療内容Ｔｂ）を設定することはできない。具体的には、治療内容Ｔａが確定して治療開始待ちの画面（図８の画面１３０８）に遷移するまでは治療内容Ｔｂを設定できない。これは、現在設定中の治療内容がどちらの機器に対応する内容であるのかをユーザが混乱してしまうのを防ぐためである。端末装置１０は、例えば、ユーザから人体オブジェクト１２２４の左腕部分１２２８の選択を受け付けた場合、図８の画面１３０２を表示する。
【００８０】
図８を参照して、画面１３０２には、左腕部分１２２８に「Ａ」が表示され、この部分が左腕であることを示す情報「腕（左）」が表示される。これにより、端末装置１０は、左腕に対する治療内容を今から設定することをユーザに対して報知する。典型的には、ユーザは、先の画面１２０２（図７参照）において治療アプリ画面上の機器Ａには電気治療器２０Ａが対応していることを把握済のため、当該電気治療器２０Ａを左腕に装着する。また、端末装置１０は、ユーザからヘルプボタン１３１２の選択を受け付けると、パッド２およびホルダ３への本体部４の装着方法、および選択部位（ここでは、左腕）へのパッド２の取付方法のガイド画面（図示しない）を表示する。端末装置１０は、ユーザからボタン１２２６の選択を受け付けると、画面１３０４を表示する。
【００８１】
画面１３０４には、ＴＥＮＳ（transcutaneous electrical nerve stimulation）コースを選択するためのボタン１３２０、およびＭＣＲ（microcurrent）コースを選択するためのボタン１３２２が表示される。ＴＥＮＳコースは、感覚神経に電気刺激を与え疼痛を抑制、軽減するコースであり、ＭＣＲコースは、マイクロ電流を体内に流すことで、筋肉に刺激を与え細胞の修復を図るコースである。ユーザはＴＥＮＳコースを選択するものとし、端末装置１０は、ボタン１３２０の選択を受け付けると画面１３０６を表示する。
【００８２】
画面１３０６は、ＴＥＮＳコースにおけるモード選択画面である。具体的には、画面１３０６には、モード「steady」，「knead」，「acupuncture like」，「tap」をそれぞれ選択するボタン１３２４，１３２６，１３２８，１３３０が表示される。ここでは、ユーザはモード「steady」を選択するものとし、端末装置１０は、ボタン１３２４の選択を受け付けると画面１３０８を表示する。
【００８３】
画面１３０８は、治療内容Ｔａの設定が完了し治療の開始を待っている状態の画面である。具体的には、画面１３０８には、治療時間を設定するためのタブ１３３３、治療を開始するためのスタートボタン１３３４が表示される。ユーザは、タブ１３３３を選択することにより治療時間（例えば、５分）を設定することができる。なお、画面１３０８では、治療内容Ｔａの設定が完了しているため、タブ１２２２を選択して、治療内容Ｔｂの設定を行うことができる。治療内容Ｔｂの設定手順については、上述した治療内容Ｔａの手順と同様である。
【００８４】
端末装置１０は、ユーザからスタートボタン１３３４の選択を受け付けると、設定された治療内容Ｔａに従って治療を開始するように電気治療器２０Ａに指示するとともに、治療中画面（後述する図９の画面１４０２）を表示する。
【００８５】
ただし、端末装置１０は、電気治療器２０Ａから受信した情報に基づいてパッド２がユーザに装着されていないと判断した場合には、スタートボタン１３３４の選択を無効化して治療開始指示を受け付けないように構成されている。
【００８６】
具体的には、電気治療器２０は、パッド２がユーザに装着されている（貼られている）状態なのか、パッド２がユーザに装着されていない（剥がれている）状態なのかを検出するための機能を有している。パッド２の装着状態の検出は、ユーザの身体に刺激を与えない程度の微弱電流をパッド２に印加することによって行われる。電気治療器２０は、微弱電流が検出された場合には、パッド２がユーザに装着されていると判定する。電気治療器２０は、微弱電流が検出されなかった場合には、パッド２がユーザに装着されていないと判定する。電気治療器２０は、定期的に、ユーザへのパッド２の装着状態を示す情報を端末装置１０に送信する。これにより、端末装置１０は、常時、ユーザへのパッド２の装着状態を把握できるため、ユーザにパッド２が貼られていない状態での治療開始指示を防止することができる。
【００８７】
（治療中の動作）
次に、電気治療器２０により治療が行われている最中の流れについて説明する。図９は、端末装置１０による治療中の動作フローを説明するための画面遷移図である。
【００８８】
図９を参照して、画面１４０２には、刺激レベルを下げるためのボタン１４１８と、刺激レベルを上げるためのボタン１４２０と、治療を停止および開始するためのボタン１４２２と、治療内容を交換するためのＳＷＡＰボタン１４２４とが表示される。また、画面１４０２は、治療アプリ画面上の機器Ａに対応する電気治療器２０Ａが、治療内容Ｔａに従って左腕の治療を行なっている場面を示している。ユーザは、ボタン１４２６を選択することにより画面１３０６（図８参照）に遷移し、モードを再度設定し直すことができる。また、ユーザは、ボタン１４１８，１４２０を選択して刺激レベルを変化させることができ、画面１４０２では刺激レベルが「１」に設定されている。
【００８９】
ここで、画面１４０２の場面から時間が経過して、ユーザが現状では刺激レベルが弱いと感じて、ボタン１４２０を選択することで刺激レベルを上げていく場面を想定する。画面１４０２から所定時間が経過した後の画面１４０４では、刺激レベルが「２」に設定されている。また、端末装置１０は、ユーザから刺激レベルを上げる操作を受け付けると、機器Ａに対応する電気治療器２０Ａに刺激レベルを上げるように指示する。電気治療器２０Ａは、当該指示に従って刺激レベルを上げる（電流を大きくする）。
【００９０】
ここで、治療内容Ｔａが、選択部位「左腕」、コース「ＴＥＮＳ」、モード「steady」、時間「５分」に設定されているとし、治療内容Ｔｂが、選択部位「腰」、コース「ＭＣＲ」、モード「microcurrent」、時間「１時間」に設定されているとする。ユーザは、自身の「左腕」に電気治療器２０Ａが装着されており、自身の「腰」に電気治療器２０Ｂが装着されていると認識して、上記のような治療内容を設定している。
【００９１】
しかしながら、実際には、電気治療器２０Ａが「腰」に装着されており、電気治療器２０Ｂが「左腕」に装着されていたとする。この場合、電気治療器２０Ａにより実行される治療内容Ｔａは、ユーザの「左腕」ではなく「腰」に対して行われ、電気治療器２０Ｂにより実行される治療内容Ｔｂは、ユーザの「腰」ではなく「左腕」に対して行われる。具体的には、電気治療器２０Ａは、端末装置１０からの指示に従って刺激レベルを上げるが、その刺激レベルの上昇は、ユーザの「左腕」ではなく「腰」に反映されることになる。そのため、ユーザは、電気治療器２０Ａおよび電気治療器２０Ｂが、自分の認識とは逆の部位に装着されていることに気付く。
【００９２】
このような場合、ユーザは、電気治療器２０Ａを「左腕」に、電気治療器２０Ｂを「腰」に装着し直すことにより、自分が設定した所望の治療を受けることができる。しかし、電気治療器２０Ａ，２０Ｂの各パッド２を一旦剥がして、再度正しい場所に貼り付けるという作業は煩雑である。このような作業を避けるため、端末装置１０には、電気治療器２０Ａに対応する治療内容と、電気治療器２０Ｂに対応する治療内容とを交換するＳＷＡＰ機能を有している。
【００９３】
具体的には、端末装置１０は、ＳＷＡＰボタン１４２４の選択を受け付けると、画面１４０６を表示する。このとき、画面１４０６には、設定変更中を示す情報１４２８が表示される。より詳細には、端末装置１０は、電気治療器２０Ａ，２０Ｂに対して治療の中断を指示する。次に、端末装置１０は、実機である電気治療器２０Ａ，２０Ｂに、それぞれ治療アプリ画面上の機器Ｂ，Ａが関連付けられるように変更する。また、端末装置１０は、電気治療器２０Ａに実行される治療内容Ｔａを、腰用として設定済の治療内容Ｔｂに変更し、電気治療器２０Ｂに実行される治療内容Ｔｂを、左腕用として設定済の治療内容Ｔａに変更する。
【００９４】
これにより、ＳＷＡＰボタン１４２４が選択されると、「腰」に装着された電気治療器２０Ａには治療アプリ画面上の機器Ｂが関連付けられ、電気治療器２０Ａにより実行される治療内容Ｔａは、選択部位「腰」、コース「ＭＣＲ」、モード「microcurrent」、時間「１時間」となる。また、「左腕」に装着された電気治療器２０Ｂには治療アプリ画面上の機器Ａが関連付けられ、電気治療器２０Ｂにより実行される治療内容Ｔｂは、選択部位「左腕」、コース「ＴＥＮＳ」、モード「steady」、時間「５分」となる。このように、端末装置１０は、電気治療器２０Ａにより行われる治療内容Ｔａと、電気治療器２０Ｂにより行われる治療内容Ｔｂとを交換する。
【００９５】
続いて、上述したような内部処理により設定変更が終了すると、端末装置１０は、画面１４０８を表示するとともに、交換後の治療内容に従って、中断していた治療を再開するように電気治療器２０Ａ，２０Ｂに指示する。具体的には、端末装置１０は、「左腕」に装着された電気治療器２０Ｂに対して、交換後の治療内容Ｔａ（すなわち、交換前の治療内容Ｔｂ）を実行するように指示する。また、端末装置１０は、「腰」に装着された電気治療器２０Ａに対して、交換後の治療内容Ｔｂ（交換前の治療内容Ｔａ）を実行するように指示する。
【００９６】
（機器接続：自動）
上記では、機器との接続確立、治療の設定および治療中の一連の動作について説明した。ここでは、端末装置１０が、自装置とペアリング済の電気治療器２０と自動的に接続される場合の動作の流れについて説明する。
【００９７】
図１０および図１１は、端末装置１０および電気治療器２０の自動接続フローを説明するための画面遷移図である。
【００９８】
図１０を参照して、端末装置１０は、治療アプリの起動指示を受け付けると、スプラッシュ画面の後に、画面１５０２を表示して、スキャン動作により、自己とペアリング済の電気治療器２０を検出する。画面１５０２は、電気治療器２０を検出中であることを示す画面である。端末装置１０は、ペアリング済の電気治療器２０が検出された場合、検出された電気治療器２０と接続を行ない、状態情報を電気治療器２０から取得する。この時点では、電気治療器２０と治療アプリ画面上の機器との関連付けは行なわない。
【００９９】
端末装置１０は、取得した状態情報に基づいて、ペアリング済のすべての電気治療器２０が治療を実行中ではない待機状態（治療待機状態）であると判断した場合、画面１５０４を表示する。画面１５０４では、治療アプリを起動する前に電気治療器２０の電源をＯＦＦにするようにユーザに促す情報１５１１を表示する。また、ペアリング済の電気治療器２０のいずれかが治療中である状態（治療中状態）であると判断した場合、治療中画面（例えば、画面１４０２）を表示する。情報１５１１を表示する理由および治療中画面に遷移する理由については後述する。
【０１００】
ペアリング済の電気治療器２０の電源がＯＦＦされた後、再度ＯＮされると、端末装置１０は、スキャン動作により、当該電気治療器２０を検出して、画面１５０６を表示する。画面１５０６は、ペアリング済の１台目の電気治療器２０（例えば、電気治療器２０Ａ）の電源をＯＮにするように促す画面である。
【０１０１】
次に、画面１５０６に従ってユーザにより電気治療器２０Ａの電源が押下されると、端末装置１０は、画面１５０８を表示して、電気治療器２０Ａとの接続処理を開始する。その後、端末装置１０は、電気治療器２０Ａとの接続を確立して、図１１の画面１６０２を表示する。
【０１０２】
図１１を参照して、画面１６０２は、端末装置１０と接続確立された電気治療器２０Ａに実行させる治療内容Ｔａの設定の準備画面である。電気治療器２０Ａは、治療アプリ内での機器Ａと関連付けられている。なお、機器Ａは、機器オブジェクト１６１１に対応している。端末装置１０は、ユーザから機器オブジェクト１６１１を選択した状態でボタン１６１２の選択を受け付けた場合には、治療内容Ｔａの設定フローを開始する。例えば、画面１６０２は、画面１２０４に遷移する。
【０１０３】
ここで、情報１５１１を表示する理由について説明する。これは、電気治療器２０の電源をＯＮして身体のいずれかの部位に電気治療器２０を装着した後、治療アプリを起動して治療内容の設定を行なうという作業の流れを回避させるためである。具体的には、本実施の形態では、端末装置１０および電気治療器２０が無線接続される。そのため、ユーザは、端末装置１０および電気治療器２０が有線接続される場合と比較して、治療アプリ画面上の機器（および設定される治療内容）がどの電気治療器２０に関連付けられるのかを混乱しやすい。
【０１０４】
例えば、電気治療器２０Ａ，２０Ｂの電源をＯＮした状態で、治療アプリを起動して端末装置１０と各機器との接続確立した場合には、治療アプリ画面上の機器Ａ，Ｂが電気治療器２０Ａ，２０Ｂに自動的に関連付けられるため、治療アプリ画面上の機器Ａ，Ｂがどちらの電気治療器２０に関連付けられるのかを識別し難くなる。なお、当該識別のために、治療アプリ画面上の機器Ａ，Ｂのオブジェクトをタップすることで電気治療器２０のＬＥＤを点滅（または、点灯等）させて識別する方法も考えられる。しかし、電気治療器２０が腰、背中等に装着された場合、装着後のＬＥＤの状態を直接ユーザが視認することは難しい。
【０１０５】
上記のような事態を避けるため、本実施の形態では、端末装置１０は、治療アプリの起動時に検出された電気治療器２０の電源がＯＮされていた場合には、当該電源をＯＦＦするように促す。そして、すべての電気治療器２０の電源をＯＦＦさせた状態で、最初に検出された（つまり、最初に電源がＯＮされた）電気治療器２０が、治療アプリ画面上の機器Ａに関連付けられる。これにより、ユーザは、自分が最初に電源をＯＮした電気治療器２０が治療アプリ画面上の機器Ａに関連付けられていることを容易に把握することができる。
【０１０６】
ただし、ペアリング済の電気治療器２０のいずれかが治療中状態である場合には、強制的に電源をＯＦＦさせると、治療中のユーザに対して不快感を与えてしまう。そのため、このような場合には、治療を実行している電気治療器２０に対応する治療中画面を表示する。
【０１０７】
（エラー報知）
ここでは、端末装置１０により実行される各種のエラー報知について説明する。
【０１０８】
図１２は、エラー報知の一例を示す図である。ここでは、端末装置１０は、どの電気治療器２０ともペアリングされていない場面を想定する。このときに、端末装置１０は、治療アプリの起動指示を受け付けると、スプラッシュ画面の後に、画面１００２を表示して、スキャンを開始する（図５参照）。端末装置１０は、所定時間（例えば、１８０秒）内のスキャンを実行しても、予め定められた条件を満たす機器ＩＤを含むアドバタイズを検出できなかった場合には、図１２の画面１０５０を表示する。
【０１０９】
画面１０５０は、ペアリング対象となる電気治療器２０が見つからないため、電気治療器２０の状態を確認するように促す画面である。このようなエラーの原因としては、所定時間内に電気治療器２０の電源がＯＮされなかった場合、端末装置１０と電気治療器２０との距離が離れており、アドバタイズを検出できない場合等が考えられる。なお、端末装置１０は、このようなエラー原因を報知するように構成されていてもよい。
【０１１０】
図１３は、エラー報知の他の例を示す図である。ここでも、端末装置１０は、どの電気治療器２０ともペアリングされていない場面を想定する。このときに、端末装置１０は、所定時間内のスキャンを実行しても（図５の画面１００２参照）、接続要求モードを含むアドバタイズは検出されたが、ペアリング要求モードを含むアドバタイズは検出されなかったとする。この場合、端末装置１０は、画面１０６０に示すようにペアリング要求モードの電気治療器２０が見つからない旨のエラー報知を行なう。端末装置１０は、ＯＫボタン１０６４の選択を受け付けると、電気治療器２０を初期化するために電気治療器２０に設けられたリセットボタンを押下するように促す画面１０７０を表示する。
【０１１１】
ここで、上述したように、電気治療器２０は、１つのＢＬＥデバイスのペアリング情報のみを内部メモリに格納可能に構成されているため、内部メモリにペアリング情報を格納している場合には接続要求モードとして動作し、内部メモリにペアリング情報を格納していない場合にはペアリング要求モードとして動作する。
【０１１２】
そのため、接続要求モードを含むアドバタイズを発信した電気治療器２０は、端末装置１０以外の他のＢＬＥデバイスとペアリング済であり、他のＢＬＥデバイスのペアリング情報を格納しているということを示している。したがって、端末装置１０とペアリングするためには、既に電気治療器２０のペアリング情報を削除する必要がある。そこで、端末装置１０は、画面１０７０を表示して電気治療器２０に格納されているペアリング情報を削除させる。
【０１１３】
図１４は、エラー報知のさらに他の例を示す図である。ここでは、端末装置１０は、１台目の電気治療器２０とのペアリングが完了しており、２台目の電気治療器２０とペアリングしようとする場面を想定する。まず、図６の画面１１０４を参照して、端末装置１０は、画面１１０２に従ってユーザにより２台目の電気治療器２０の電源が押下されると、当該電気治療器２０との接続処理を開始する。端末装置１０は、スキャン動作により、２台目の電気治療器２０が発信するアドバタイズを検出する。
【０１１４】
そして、端末装置１０は、当該アドバタイズに含まれる機器ＩＤの分類情報Ｃａが、ペアリング済である１台目の電気治療器２０の機器ＩＤの分類情報Ｃｂと一致しない場合、画面１１５０のように２台目の電気治療器２０を登録できない旨のエラー報知を行なう。例えば、電気治療器２０には、販売エリアごとに異なる分類情報が割り当てられている。そのため、２台目の電気治療器２０の販売エリアが登録済の１台目の電気治療器２０の販売エリアと異なる場合には、２台目の電気治療器２０は登録できない旨を報知する。また、電気治療器２０には、機器の型式ごとに異なる分類情報が割り当てられていてもよい。この場合、２台目の電気治療器２０の型式が登録済の１台目の電気治療器２０の型式と異なる場合には、２台目の電気治療器２０は登録できない旨を報知する。
【０１１５】
端末装置１０は、ＯＫボタン１１５４の選択を受け付けると、問い合わせフォームを示す画面１１６０を表示する。例えば、画面１１６０には、エラーコード、エラー内容、端末情報、アプリバージョン、問い合わせ内容を記入する欄等が設けられる。端末装置１０は、問い合わせ送信ボタン１１６４を受け付けると、記入した内容が所定の外部装置に送信される。
【０１１６】
＜機能構成＞
図１５は、端末装置１０の機能構成の一例を示すブロック図である。図１５を参照して、端末装置１０は、主たる構成として、検出部１０４と、判断部１０６と、状態情報取得部１０８と、機器状態判断部１１０と、治療内容設定部１１２と、治療指示部１１４と、装着状態受信部１１６と、報知部１１８とを含む。端末装置１０の各機能は、例えば、各端末装置１０のプロセッサ１５２がメモリ１５４に格納されたプログラムを実行することによって実現される。なお、これらの機能の一部または全部はハードウェアで実現されるように構成されていてもよい。また、端末装置１０は、メモリ１５４により実現される情報格納部１０２をさらに含む。
【０１１７】
情報格納部１０２は、少なくとも１つの電気治療器２０と無線通信接続を確立するための登録情報を格納する。典型的には、登録情報は、ペアリング情報であり、ペアリング済の電気治療器２０の機器ＩＤ、ＭＡＣアドレス、サービス情報等を含む。
【０１１８】
検出部１０４は、少なくとも１つの電気治療器２０から発信されるビーコン信号を検出する。具体的には、検出部１０４は、スキャン動作により、「電気治療器」を示す種別情報を有する機器ＩＤを含むアドバタイズを検出する。また、検出部１０４は、ペアリング要求を受け付けた場合、検出されたアドバタイズに含まれるペアリング情報を情報格納部１０２に格納する。
【０１１９】
判断部１０６は、情報格納部１０２に格納されたペアリング情報と、検出部１０４により検出されたアドバタイズとに基づいて、検出された電気治療器２０の中に、端末装置１０に登録されていない未登録の電気治療器２０が存在するか否かを判断する。具体的には、判断部１０６は、アドバタイズに含まれるペアリング情報と一致するペアリング情報が情報格納部１０２に格納されている場合には、当該アドバタイズを発信した電気治療器２０が端末装置１０に登録されていると判断する。そうではない場合には、判断部１０６は、当該アドバタイズを発信した電気治療器２０が端末装置１０に登録されていない（すなわち、未登録）であると判断する。
【０１２０】
判断部１０６は、未登録の電気治療器２０が存在する場合、この未登録の電気治療器２０が端末装置１０以外の他の装置のペアリング情報を有しているか否かをさらに判断する。具体的には、判断部１０６は、未登録の電気治療器２０が、無線通信接続を確立するための接続要求を含むアドバタイズを発信している場合、他の装置の登録情報を有していると判断する。
【０１２１】
別の局面では、判断部１０６は、検出されたアドバタイズに基づいて、未登録の電気治療器２０が属する分類（分類情報Ｃａにより定まる分類）と、端末装置１０に登録済の電気治療器２０が属する分類（分類情報Ｃｂにより定まる分類）とが同一か否かをさらに判断する。
【０１２２】
状態情報取得部１０８は、判断部１０６により端末装置１０に登録済と判断された電気治療器２０から、当該電気治療器２０の状態情報を取得する。具体的には、状態情報取得部１０８は、端末装置１０に登録済の電気治療器２０と無線通信接続を確立した後、当該電気治療器２０から状態情報を受信する。状態情報は、登録済みの電気治療器２０が治療中の状態であるか、当該治療中ではない治療待機状態であるかを示す情報を含む。
【０１２３】
機器状態判断部１１０は、各電気治療器２０Ａ，２０Ｂの状態情報に基づいて、電気治療器２０Ａ，２０Ｂの各々について、当該電気治療器が治療中状態であるか、当該電気治療器が治療待機状態であるかを判断する。
【０１２４】
治療内容設定部１１２は、電気治療器２０Ａにより行われる治療内容Ｔａと、電気治療器２０Ｂにより行われる治療内容Ｔｂとを設定する。治療内容は、治療部位、治療コース、治療モード、および治療時間を含む。また、ある局面では、治療内容設定部１１２は、予め定められた指示（例えば、ＳＷＡＰボタン１４２４の選択）に従って、治療内容Ｔａおよび治療内容Ｔｂを交換する。
【０１２５】
治療指示部１１４は、電気治療器２０Ａ，２０Ｂに対して、それぞれ治療内容Ｔａ，Ｔｂに従って、治療するように指示する。具体的には、治療指示部１１４は、各治療内容Ｔａ，Ｔｂを実行させるための制御信号を各電気治療器２０Ａ，２０Ｂに送信する。また、治療指示部１１４は、ユーザからの各種指示（例えば、刺激レベルの変更指示、治療の停止指示等）に従って、各種の制御信号を各電気治療器２０Ａ，２０Ｂに送信する。
【０１２６】
ある局面では、治療指示部１１４は、治療内容Ｔａおよび治療内容Ｔｂが交換された場合、電気治療器２０Ａ，２０Ｂに対して、それぞれ交換後の治療内容Ｔａ（交換前の治療内容Ｔｂ）および交換後の治療内容Ｔｂ（交換前の治療内容Ｔａ）に従ってユーザを治療するように指示する。
【０１２７】
装着状態受信部１１６は、電気治療器２０Ａ，２０Ｂの各々から、ユーザへのパッド２の装着状態を示す装着状態情報を受信する。装着状態情報は、パッド２がユーザに貼られているのか、貼られていない（剥がれている）のかを示す情報である。
【０１２８】
報知部１１８は、ユーザに対して各種の情報を報知する。典型的には、報知部１１８は、各種の情報をディスプレイ１５８に表示させることにより当該報知を行なう。
【０１２９】
ある局面では、報知部１１８は、端末装置１０に未登録の電気治療器２０が他の装置のペアリング情報を有している場合、エラーに対する対応策を含む情報を報知する。例えば、報知部１１８は、エラー内容に対する対応策として、未登録の電気治療器２０に設けられたハードウェア（例えば、物理スイッチ、ボタン等）を用いて所定操作（例えば、リセットボタンを押下する）を行なうように報知する（例えば、画面１０７０等を表示する）。ユーザにより、未登録の電気治療器２０に設けられたリセットボタンが押下されると、未登録の電気治療器２０に格納されている他の装置のペアリング情報が削除される。なお、報知部１１８は、エラーに対して複数の対応策が存在する場合には、対応策の一覧をディスプレイ１５８に表示してもよい。
【０１３０】
他の局面では、報知部１１８は、未登録の電気治療器２０が属する分類と、登録済の電気治療器２０が属する分類とが同一ではない場合、未登録の電気治療器２０を登録しない旨を報知する。例えば、電気治療器２０は、販売エリア（または、型式）ごとに異なる分類情報が割り当てられている。そのため、報知部１１８は、未登録の電気治療器２０の販売エリア（または、型式）が登録済の電気治療器２０の販売エリア（または、型式）と異なる場合には、未登録の電気治療器２０を登録しない旨を報知する。
【０１３１】
さらに他の局面では、報知部１１８は、機器状態判断部１１０により電気治療器２０Ａおよび電気治療器２０Ｂが治療待機状態であると判断された場合、電気治療器２０Ａおよび電気治療器２０Ｂの電源をＯＦＦにするように報知する。また、報知部１１８は、電気治療器２０Ａおよび電気治療器２０Ｂの少なくとも一方が治療中状態である場合、当該治療中状態の電気治療器２０に対応する治療画面を端末装置１０のディスプレイ１５８に表示させる。
【０１３２】
さらに他の局面では、報知部１１８は、装着状態情報に基づいて、ユーザへのパッド２の装着状態が変化したと判断した場合、当該装着状態の変化を報知する。具体的には、報知部１１８は、ユーザにパッド２が貼られていない状態から、パッド２が貼られた状態に変化した場合には、パッド２が貼られた旨をユーザに報知する。また、報知部１１８は、ユーザにパッド２が貼られた状態から、パッド２が剥がれた状態に変化した場合には、パッド２が剥がれた旨をユーザに報知する。
【０１３３】
＜処理手順＞
図１６〜図１８を参照して、本実施の形態に従う端末装置１０により実行される各種の処理手順について説明する。図１６〜図１８に示す各ステップは、主に、端末装置１０のプロセッサ１５２がメモリ１５４に格納されたプログラム（治療アプリ）を実行することによって実現される。
【０１３４】
（機器登録）
図１６は、端末装置１０による機器登録の処理手順の一例を示すフローチャートである。ここでは、端末装置１０は、１台目の電気治療器２０を登録しようとする場面を想定する。
【０１３５】
図１６を参照して、端末装置１０は、スキャン動作を開始して（ステップＳ１０）、所定時間内に、電気治療器２０から発信されるアドバタイズを検出できたか否かを判断する（ステップＳ１２）。いずれの電気治療器２０も検出されない場合（ステップＳ１２においてＮＯ）、端末装置１０は、ペアリング対象となる電気治療器２０が見つからない旨を報知（図１２参照）して（ステップＳ２０）。処理を終了する。電気治療器２０が検出された場合（ステップＳ１２においてＹＥＳ）、端末装置１０は、アドバタイズを発信する電気治療器２０の動作モードがペアリング要求モードであるか否かを判断する（ステップＳ１４）。
【０１３６】
当該動作モードがペアリング要求モードである場合（ステップＳ１４においてＹＥＳ）、端末装置１０は、電気治療器２０のペアリング情報を登録して（ステップＳ１６）、無線接続を確立して、処理を終了する。このとき、電気治療器２０は、端末装置１０のペアリング情報を登録する。一方、当該動作モードがペアリング要求モードではない（すなわち、接続要求モードである）場合（ステップＳ１４においてＮＯ）、端末装置１０は、電気治療器２０を初期化するように報知（図１３参照）して（ステップＳ１８）、処理を終了する。具体的には、端末装置１０は、電気治療器２０のリセットボタンを押下して、ペアリング情報を削除するように報知する。
【０１３７】
図１７は、端末装置１０による機器登録の処理手順の他の例を示すフローチャートである。ここでは、端末装置１０は、１台目の電気治療器２０が登録済の状態であり、２台目の電気治療器２０を登録しようとする場面を想定する。
【０１３８】
図１７を参照して、ステップＳ３０，Ｓ３２，Ｓ４４の処理は、それぞれ図１６のステップＳ１０，Ｓ１２，Ｓ２０の処理と同様であるため、その詳細な説明は繰り返さない。電気治療器２０が検出された場合（ステップＳ３２においてＹＥＳ）、端末装置１０は、検出された電気治療器２０が属する分類が、登録済の電気治療器２０が属する分類と同一であるか否かを判断する（ステップＳ３４）。
【０１３９】
これらの分類が同一ではない場合（ステップＳ３４においてＮＯ）、端末装置１０は、検出された電気治療器２０が登録できない機器であることを報知（図１４参照）して（ステップＳ４２）、処理を終了する。これらの分類が同一である場合（ステップＳ３４においてＹＥＳ）、端末装置１０は、ステップＳ３６の処理を実行する。ステップＳ３６，Ｓ３８，Ｓ４０の処理は、それぞれ図１６のステップＳ１４，Ｓ１６，Ｓ１８の処理と同様であるため、その詳細な説明は繰り返さない。
【０１４０】
（接続確立）
図１８は、端末装置１０による通常接続の処理手順の一例を示すフローチャートである。ここでは、端末装置１０は、登録済の電気治療器２０と無線接続を確立しようとする場面を想定する。
【０１４１】
図１８を参照して、端末装置１０は、スキャン動作を開始して（ステップＳ６０）、登録済の電気治療器２０を検出する（ステップＳ６２）。端末装置１０は、検出された電気治療器２０から状態情報を取得し（ステップＳ６４）、当該状態情報に基づいて、電気治療器２０が治療待機状態か否かを判断する（ステップＳ６６）。
【０１４２】
電気治療器２０が治療待機状態ではない（すなわち、治療中状態である）場合には（ステップＳ６６においてＮＯ）、端末装置１０は、当該電気治療器２０に対応する治療中画面をディスプレイ１５８に表示して（ステップＳ７６）、処理を終了する。電気治療器２０が治療待機状態である場合には（ステップＳ６６においてＹＥＳ）、電源の入れ直しを促す情報を報知（図１０参照）する（ステップＳ６８）。
【０１４３】
続いて、端末装置１０は、電源が入れ直された電気治療器２０と自動的に無線通信接続を確立する（ステップＳ７０）。端末装置１０は、接続された電気治療器２０と治療アプリ画面上の機器とを関連付けるとともに、当該電気治療器２０にＬＥＤの点滅要求を送信して（ステップＳ７２）、処理を終了する。
【０１４４】
＜利点＞
本実施の形態によると、電気治療器２０には１つのＢＬＥデバイスのペアリング情報しか登録することができない。これにより、登録された１つのＢＬＥデバイス以外の他の装置との通信が実質的に制限されるため、電気治療器２０の制御を乗っ取られることがなく、端末装置１０のユーザは自分の意図する治療内容に従った安全性の高い治療を受けることができる。また、他の装置のペアリング情報が既に電気治療器２０に登録されている場合には、エラーに対する対応策が端末装置１０から報知されるため、ユーザはペアリングを完了するための手順を容易に把握することができる。また、電気治療器２０に設けられたリセットボタンを用いればペアリング情報を削除できるように構成されているため、当該削除を容易に行なうことができる。
【０１４５】
本実施の形態によると、ユーザは、自身が治療アプリ画面上で選択した機器が、どの電気治療器２０と対応しているのかを容易に把握できる。また、２つの電気治療器を利用して治療を行なうときに、治療アプリ画面上の各機器と実機である各電気治療器との関連付けが自分の認識と異なる場合であっても、ＳＷＡＰボタンを利用することにより、各電気治療器に対応する治療内容を容易に交換することができる。そのため、各電気治療器を装着し直す等の煩雑な作業を行う必要がない。
【０１４６】
本実施の形態では、端末装置１０は、各種のエラー情報および作業手順を促す情報を報知するように構成されている。そのため、ユーザは、端末装置１０と電気治療器２０との接続確立から、治療内容の設定、治療の実行に至るまでの一連の作業を容易に行なうことができる。
【０１４７】
＜その他の実施の形態＞
（１）上述した実施の形態では、ＳＷＡＰボタン１４２４が選択されると、治療内容Ｔａの全部と治療内容Ｔｂの全部とが交換される構成について説明したが、当該構成に限られない。例えば、治療内容Ｔａの一部と、治療内容Ｔｂの一部とが交換される構成であってもよい。具体的には、治療内容Ｔａにおける「モード」と、治療内容Ｔｂにおける「モード」とが交換される構成であってもよいし、治療内容Ｔａにおける「刺激レベル」と、治療内容Ｔｂにおける「刺激レベル」とが交換される構成であってもよい。この場合、ＳＷＡＰボタン１４２４が選択されると、治療内容のうちのどの項目（例えば、「モード」および「刺激レベル」）を交換するのかをユーザに選択させるように構成されていてもよい。
【０１４８】
（２）上述した実施の形態では、端末装置１０が電気治療器２０Ａ，２０Ｂと無線通信する構成について説明したが、当該構成に限られない。例えば、端末装置１０が、１つの電気治療器２０（例えば、電気治療器２０Ａ）とのみ無線通信可能であり、かつ、当該１つの電気治療器２０Ａが他の電気治療器２０（例えば、電気治療器２０Ｂ）と無線通信可能に構成されていてもよい。具体的には、端末装置１０と無線通信可能な電気治療器２０Ａは「マスター機器」として動作し、マスター機器と無線通信可能な電気治療器２０Ｂは「スレーブ機器」として動作する。
【０１４９】
この場合、端末装置１０は、マスター機器には直接的に各種指示を与え、スレーブ機器にはマスター機器を介して間接的に各種指示を与える。マスター機器は、端末装置１０の指示に従って、スレーブ機器を制御する。
【０１５０】
ある局面では、端末装置１０（治療指示部１１４）は、マスター機器に対して、治療内容Ｔａに従ってユーザを治療するように指示する。また、治療指示部１１４は、スレーブ機器が治療内容Ｔｂに従ってユーザを治療するように、マスター機器にスレーブ機器を制御させる。具体的には、治療指示部１１４は、治療内容Ｔａを実行させるための制御信号をマスター機器に送信する。治療指示部１１４は、治療内容Ｔｂを実行させるための制御信号をマスター機器に送信し、マスター機器は当該制御信号をスレーブ機器に転送することにより、スレーブ機器を制御する。
【０１５１】
他の局面では、治療指示部１１４は、治療内容Ｔａおよび治療内容Ｔｂが交換された場合、マスター機器に対して、交換後の治療内容Ｔａに従ってユーザを治療するように指示し、スレーブ機器が交換後の治療内容Ｔｂに従ってユーザを治療するように、マスター機器にスレーブ機器を制御させる。
【０１５２】
また、端末装置１０（状態情報取得部１０８）は、マスター機器の状態情報を当該マスター機器から受信し、スレーブ機器の状態情報をマスター機器を介して受信する。また、端末装置１０（装着状態受信部１１６）は、マスター機器に対応するパッド２の装着状態情報を受信し、マスター機器を介してスレーブ危機に対応するパッド２の装着状態情報を受信する。すなわち、マスター機器は、スレーブ機器からの各種情報を受信して端末装置１０に転送する。
【０１５３】
上記構成の場合、端末装置１０は、１つの電気治療器とのみペアリング接続されていればよいため、多数の電気治療器とのペアリング作業の手間を省くことができる。また、端末装置１０が各種指示をマスター機器に与えた後は、マスター機器によりスレーブ機器が制御されるため、マスター機器とスレーブ機器との治療タイミング等の同期を取ることが容易となると考えられる。
【０１５４】
（３）上述した実施の形態において、コンピュータを機能させて、上述のフローチャートで説明したような制御を実行させるプログラムを提供することもできる。このようなプログラムは、コンピュータに付属するフレキシブルディスク、ＣＤ（Compact  Disk  Read  Only  Memory）、二次記憶装置、主記憶装置およびメモリカードなどの一時的でないコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１５５】
プログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本実施の形態にかかるプログラムに含まれ得る。
【０１５６】
また、本実施の形態にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本実施の形態にかかるプログラムに含まれ得る。
【０１５７】
（４）上述の実施の形態として例示した構成は、本発明の構成の一例であり、別の公知の技術と組み合わせることも可能であるし、本発明の要旨を逸脱しない範囲で、一部を省略する等、変更して構成することも可能である。また、上述した実施の形態において、その他の実施の形態で説明した処理や構成を適宜採用して実施する場合であってもよい。
【０１５８】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１５９】
１  治療システム、２  パッド、２Ｈ  貫通孔、２Ｘ  取付部、２Ｙ  治療部、２ａ  導電層、３  ホルダ、４  本体部、  ４ａ  ケース、５  誘導係合部、１０  端末装置、２０  電気治療器、２１  身体側部、２２  パッド側電極部、２３  窓部、３０  ネットワーク、３１  パッド保持部、３２  壁部、３３  インターロックピン、４１  側面、４３  本体部側電極部、４８Ｓ  スイッチ、５１  突起、５２  溝部、１０２  情報格納部、１０４  検出部、１０６  判断部、１０８  状態情報取得部、１１０  機器状態判断部、１１２  治療内容設定部、１１４  治療指示部、１１６  装着状態受信部、１１８  報知部、１５２  プロセッサ、１５４  メモリ、１５６  入力装置、１５８  ディスプレイ、１６０  無線通信部、１６２  通信アンテナ、１６４  メモリインターフェイス、１６５  記憶媒体、１６８  スピーカ、１７０  マイク、３１１  上面、３１２  位置決め突起、５２１  縦溝部、５２２  横溝部。
【図１】
2018202002.tif 000003
【図２】
2018202002.tif 000004
【図３】
2018202002.tif 000005
【図４】
2018202002.tif 000006
【図５】
2018202002.tif 000007
【図６】
2018202002.tif 000008
【図７】
2018202002.tif 000009
【図８】
2018202002.tif 000010
【図９】
2018202002.tif 000011
【図１０】
2018202002.tif 000012
【図１１】
2018202002.tif 000013
【図１２】
2018202002.tif 000014
【図１３】
2018202002.tif 000015
【図１４】
2018202002.tif 000016
【図１５】
2018202002.tif 000017
【図１６】
2018202002.tif 000018
【図１７】
2018202002.tif 000019
【図１８】
2018202002.tif 000020